(57)【要約】 【課題】  従来の粘着固定型の液晶パネルの保護構造を改善した液晶ディスプレイを提供する。【解決手段】  第１の面と第２の面からなる２つの面を含む液晶パネル、前記液晶パネルの第１面に設置されたバックライトモジュール、前記液晶パネルの第２面に設置され、前記液晶パネルと前記バックライトモジュールを囲むベゼル、および前記液晶パネルと前記ベゼルの間に設置されて粘着され、それが特定波長の光によって照射されたとき、その粘着性が緩和され、前記液晶パネルと前記ベゼルとの分離を容易にする光誘導粘着層を含む液晶ディスプレイ。【選択図】  図７
2005196125.tif 000002
【特許請求の範囲】
【請求項１】
液晶ディスプレイであって、
第１面と第２面との２つの面を含む液晶パネルと、
前記液晶パネルの第１面に設置されるバックライトモジュールと、
前記液晶パネルの第２面に設置され、前記液晶パネルと前記バックライトモジュールとを囲むベゼルとを有し、
前記液晶パネルと前記ベゼルとの間が粘着され、その粘着部が特定波長の光を照射し、その粘着性が緩和され、前記液晶パネルと前記ベゼルとの分離を可能にする光誘導粘着層を含むことを特徴とする液晶ディスプレイ。
【請求項２】
前記特定波長の光が紫外光であることを特徴とする請求項１に記載の液晶ディスプレイ。  
【請求項３】
前記バックライトモジュールが紫外光レジスト層を含み、当該紫外光レジスト層が可視光を透過させるが紫外光を透過させないことを特徴とする請求項２に記載の液晶ディスプレイ。
【請求項４】
前記光誘導粘着層が、紫外光誘導粘着テープを含むことを特徴とする請求項１に記載の液晶ディスプレイ。
【請求項５】
前記バックライトモジュールが、光源がバックライトモジュールの縁に設置されるエッジ型バックライトモジュールであることを特徴とする請求項１に記載の液晶ディスプレイ。
【請求項６】
前記バックライトモジュールが、光源がバックライトモジュールのキャビティに直接設置される直下型バックライトモジュールであることを特徴とする請求項１に記載の液晶ディスプレイ。
【請求項７】
前記バックライトモジュールが、他の光誘導粘着層を用いて前記液晶パネルに粘着されることを特徴とする請求項１に記載の液晶ディスプレイ。  
【請求項８】
液晶ディスプレイであって、
２つの面を含む液晶パネルと、
前記液晶パネルの第１面に設置され、紫外光レジスト層を含み、この層により可視光を透過させ、紫外光を透過させないバックライトモジュールと、
前記液晶パネルの第２面に設置され、前記液晶パネルと前記バックライトモジュールを囲むベゼルと、を有し、
前記液晶パネルと前記ベゼルとの間に設置され、前記ベゼルを前記液晶パネルに粘着させる第１紫外光誘導粘着層と、
前記液晶パネルと前記バックライトモジュールとの間に設置され、前記バックライトモジュールを前記液晶パネルに粘着させる第２紫外光誘導粘着層を含み、
前記第１紫外光誘導粘着層と前記第２紫外光誘導粘着層とが紫外光によって照射され、前記液晶パネルと、前記ベゼルと、前記バックライトモジュールとの分離を可能にすることを特徴とする液晶ディスプレイ。
【請求項９】
前記第１紫外光誘導粘着層及び前記第２紫外光誘導粘着層が、それぞれ紫外光誘導粘着テープを含むことを特徴とする請求項８に記載の液晶ディスプレイ。
【請求項１０】
前記バックライトモジュールが、光源がバックライトモジュールの縁に設置されるエッジ型バックライトモジュールであることを特徴とする請求項８に記載の液晶ディスプレイ。
【請求項１１】
前記バックライトモジュールが、光源がバックライトモジュールのキャビティに直接設置される直下型バックライトモジュールであることを特徴とする請求項８に記載の液晶ディスプレイ。
【発明の詳細な説明】
【技術分野】
【０００１】
本件発明は、液晶ディスプレイに関し、特に、光を誘導する材料（光誘導材料）を含む液晶ディスプレイに関するものである。
【背景技術】
【０００２】
一般に、液晶ディスプレイは、液晶パネルとバックライトモジュールとを含む。液晶パネルは液晶ディスプレイの表示部である。液晶パネルが発光しないことから、適切に画像を表示する十分な輝度と均一な分布とを提供する光源が必要とされる。よって、光源としてバックライトモジュールが液晶ディスプレイに提供されている。更に、バックライトモジュールと液晶パネルとを囲み、保護するフレーム等のベゼルが提供される。
【０００３】
一般に、バックライトモジュールは直下型構造とエッジ型構造とに分類される。エッジ型バックライトモジュールにおいては、光源がその体積を減少させる目的でバックライトモジュールの縁に設置され、光を導光板が液晶パネルに誘導する。直下型バックライトモジュールでは、光源がバックライトモジュールのキャビティに直接設置されるため、光源が比較的大きな体積を占める。しかし、２本以上の多数本の蛍光管を用いて発光を向上することができ、より均一な光の分布が提供できる。
【０００４】
図１は、従来の液晶ディスプレイを示す斜視図である。図１では、液晶ディスプレイは、液晶パネル１００、バックライトモジュール１１０、及びベゼル１２０を含む。バックライトモジュール１１０は直下型又はエッジ型から構成される。なお、バックライトモジュール１１０の詳細な構造は示していない。ベゼル１２０は液晶パネル１００を囲み、液晶パネル１００が開口から見える開口１２５を含む。図１では、バックライトモジュール１１０が液晶パネル１００の下側に設置されており、ベゼル１２０が液晶パネル１００とバックライトモジュール１１０とを囲む。
【０００５】
ところが、液晶パネル１００がガラスを含むため、衝突による衝撃で破砕やひびが生じる可能性がある。実際には様々な保護構造が用いられ、液晶パネル１００のダメージを防ぐ。
【０００６】
図２は、液晶ディスプレイの液晶パネル１００の従来の保護構造を示している。図２では、間隙１３０が液晶パネル１００とベゼル１２０との間にあり、この間隙１３０に複数のクッションパッド１５０が設置されている。よって、液晶パネル１００及びベゼル１２０は、クッションパッド１５０と共に固定される。クッションパッド１５０は、一般的に、ゴム、プラスチック、又は高い弾力性を備えるその他の材料を含む。液晶ディスプレイが衝撃を受けたとき、クッションパッド１５０が、その衝撃を和らげ、液晶パネル１００をダメージから防ぐ。
【０００７】
クッションパッド１５０の設置に対応させるべく、一般的に、ベゼル１２０のサイズは、適当な大きさの間隙１３０を得るために大きく設定される。間隙１３０を大きく設定することは効果的に衝撃を和らげるが、液晶ディスプレイの全体積の一定部分を占めるクッションパッドが、大きく設定したベゼルのサイズにとって不可欠であることから、その携帯性が妨げられる。
【０００８】
図３は、液晶ディスプレイの液晶パネル１００の他の従来の保護構造を示している。図３では、液晶パネル１００及びベゼル１２０がテープなどの粘着層の重複域１６０で粘着されている。衝撃を受けたとき、ベゼル１２０が大部分の衝撃を和らげることができ、液晶パネル１００への衝撃を減少させる。更に、間隙１３０の幅はクッションパッドの除去によって狭くすることができる。よって、液晶ディスプレイの全体積を減少することができ、その携帯性を向上させることができる。
【０００９】
しかし、ベゼル１２０と液晶パネル１００とが強固に粘着された後では、当該液晶ディスプレイの組立の再加工やメンテナンスの際、液晶パネル１００からベゼル１２０を取り外すことが困難となる。更に、ベゼル１２０及び液晶パネル１００が当該液晶ディスプレイの分解中にダメージを受ける可能性がある。
【００１０】
【特許文献１】特開２００４−１３３１０１号公報
【発明の開示】
【発明が解決しようとする課題】
【００１１】
そこで、本件発明は、従来の粘着固定型の液晶パネルの保護構造を改善した以下の液晶ディスプレイを提供する。
【課題を解決するための手段】
【００１２】
すなわち、本件発明の液晶ディスプレイは、第１面と第２面との２つの面を含む液晶パネルと、前記液晶パネルの第１面に設置されるバックライトモジュールと、前記液晶パネルの第２面に設置され、前記液晶パネルと前記バックライトモジュールとを囲むベゼルとを有し、前記液晶パネルと前記ベゼルとの間が粘着され、その粘着部が特定波長の光を照射し、その粘着性が緩和され、前記液晶パネルと前記ベゼルとの分離を可能にする光誘導粘着層を含むことを特徴とする。
【００１３】
また、本件発明は、前記特定波長の光が紫外光であることを特徴とする上記液晶ディスプレイを提供する。
【００１４】
また、本件発明は、前記バックライトモジュールが紫外光レジスト層を含み、当該紫外光レジスト層が可視光を透過させるが紫外光を透過させないことを特徴とする上記液晶ディスプレイを提供する。
【００１５】
また、本件発明は、前記光誘導粘着層が、紫外光誘導粘着テープを含むことを特徴とする上記液晶ディスプレイを提供する。
【００１６】
また、本件発明は、前記バックライトモジュールが、光源がバックライトモジュールの縁に設置されるエッジ型バックライトモジュールであることを特徴とする上記液晶ディスプレイを提供する。
【００１７】
また、本件発明は、前記バックライトモジュールが、光源がバックライトモジュールのキャビティに直接設置される直下型バックライトモジュールであることを特徴とする上記液晶ディスプレイを提供する。
【００１８】
また、本件発明は、前記バックライトモジュールが、他の光誘導粘着層を用いて前記液晶パネルに粘着されることを特徴とする上記液晶ディスプレイを提供する。
【００１９】
さらに、本件発明は、液晶ディスプレイであって、２つの面を含む液晶パネルと、前記液晶パネルの第１面に設置され、紫外光レジスト層を含み、この層により可視光を透過させ、紫外光を透過させないバックライトモジュールと、前記液晶パネルの第２面に設置され、前記液晶パネルと前記バックライトモジュールを囲むベゼルと、を有し、前記液晶パネルと前記ベゼルとの間に設置され、前記ベゼルを前記液晶パネルに粘着させる第１紫外光誘導粘着層と、前記液晶パネルと前記バックライトモジュールとの間に設置され、前記バックライトモジュールを前記液晶パネルに粘着させる第２紫外光誘導粘着層を含み、前記第１紫外光誘導粘着層と前記第２紫外光誘導粘着層とが紫外光によって照射され、前記液晶パネルと、前記ベゼルと、前記バックライトモジュールとの分離を可能にすることを特徴とする液晶ディスプレイを提供する。
【００２０】
本件発明は、前記第１紫外光誘導粘着層及び前記第２紫外光誘導粘着層が、それぞれ紫外光誘導粘着テープを含むことを特徴とする上記液晶ディスプレイを提供する。
【００２１】
さらにまた、本件発明は、前記バックライトモジュールが、光源がバックライトモジュールの縁に設置されるエッジ型バックライトモジュールであることを特徴とする上記液晶ディスプレイを提供する。
【００２２】
さらにまた、本件発明は、前記バックライトモジュールが、光源がバックライトモジュールのキャビティに直接設置される直下型バックライトモジュールであることを特徴とする上記液晶ディスプレイを提供する。
【発明の効果】
【００２３】
本件発明の光誘導粘着層によれば、液晶ディスプレイの全体積を減少することができ、その携帯性を向上させることができる。また、前記液晶ディスプレイの液晶パネルとベゼルとは強固に粘着された後も照射によって分解でき、そのため、液晶ディスプレイの再加工やメンテナンスの際の分解を簡易化する。
【発明を実施するための最良の形態】
【００２４】
本件発明についての目的、特徴、及び長所が一層明確に理解されるように、以下に実施形態を例示し、図面を参照しながら詳細に説明する。
【実施例】
【００２５】
いくつかの下記実施例において、液晶パネルの保護構造として用いられる光誘導粘着層を備えた液晶ディスプレイが提供される。よって、液晶ディスプレイを特定波長の光が光誘導粘着層を照射される場合に液晶パネルとベゼルとが容易に分離され得る。
【００２６】
液晶ディスプレイの実施例を図４から図７を参照して以下説明する。
図４から図７に示されるように、液晶ディスプレイは、液晶パネル１００、バックライトモジュール１１０、ベゼル１２０、及び光誘導粘着層２００を含む。図４は、液晶パネル１００と光誘導粘着層２００を示す。液晶パネル１００は、光誘導粘着層２００の塗布のための重複域１０５を有する。いくつかの実施例では、光誘導粘着層２００は、紫外光誘導粘着テープ又は紫外光誘導粘着剤から構成され得、液晶パネル１００をベゼル１２０に粘着させる。例えば、紫外光等の特定周波の光が光誘導粘着層２００を照射したときに接着力が緩和され、液晶パネル１００とベゼル１２０との容易な分離が可能になる。
【００２７】
図５は、図４の液晶ディスプレイの実施例の分解図を示している。光誘導粘着層２００は、図４に示されたように液晶パネル１００に付着される。いくつの実施例では、バックライトモジュール１１０は、直下型として構成できるが、他の実施例では、エッジ型として構成できる。バックライトモジュール１１０の可視光を発生する膜及び素子は、一般的に紫外光を導くことができる。バックライトモジュール１１０の可視光を発生する膜及び素子を保護するために、紫外光レジスト層１１５をバックライトモジュール１１０に提供することができる（図４及び図５参照）。紫外光レジスト層１１５は、紫外光を透過させず、可視光を透過させることができ、バックライトモジュール１１０からの可視光を透過させる。更に、ベゼル１２０は、液晶パネル１００が開口から画像を見ることができる開口１２５を含む。
【００２８】
図５に示されたように、バックライトモジュール１１０が液晶パネル１００の下側に設置され、ベゼル１２０が液晶パネル１００を囲み、これによりバックライトモジュール１１０が液晶ディスプレイを包むようにされている。この液晶ディスプレイが図６と図７に詳細に示されている。
【００２９】
図６の底面図に示されているように、光誘導粘着層２００が液晶パネル１００とベゼル１２０との重複域に付着される。よって、液晶パネル１００とベゼル１２０とが強固に粘着される。更に、いくつかの実施例では、液晶パネルとバックライトモジュールとは、図７の断面側面図に示されているようなその他の光誘導粘着層２１０で粘着することができる。具体的には、液晶パネル１００とベゼル１２０との間の光誘導粘着層２００は、第１紫外光誘導層として構成でき、液晶パネル１００とバックライトモジュール１１０との間の光誘導粘着層２１０は第２紫外光誘導層として構成できる。第１紫外光誘導層２００と第２紫外光誘導層２１０との両方が紫外光誘導テープ又は紫外光誘導粘着剤により構成できる。よって、前記の液晶ディスプレイが組立てられた際に光誘導層である第１紫外光誘導層２００と第２紫外光誘導層２１０がベゼル１２０とバックライトモジュール１１０とを液晶パネル１００に強固に粘着させる。
【００３０】
一方、再加工やメンテナンスの際に上記液晶ディスプレイが分解される場合、図８に示されたように、特定波長の光（例えば紫外光）が液晶ディスプレイを照射する。よって、第１紫外光誘導層２００及び第２紫外光誘導層２１０は紫外光によって照射され、粘着力が緩和され、液晶パネル１００と、ベゼル１２０と、バックライトモジュール１１０とが容易に分解される。第１紫外光誘導層２００と第２紫外光誘導層２１０とが粘着力を失うことで、粘着層は一般的に粘着の跡を残すことなく、液晶パネル１００から取り除くことができる。
【００３１】
図８のバックライトモジュールの実施例において、紫外光を透過させない紫外光レジスト層１１５を含むことに留意すべきである。これにより、液晶ディスプレイが紫外光によって照射されるとき、バックライトモジュール１１０の可視光を発生する膜及び素子が光（紫外光）に晒されない。
【００３２】
本件発明は、各種のバックライトモジュールの構造に実際に用いることができる。本件発明は、潜在的に液晶ディスプレイの全体積を減少することができ、その携帯性を向上させる。また、前記液晶ディスプレイの液晶パネルとベゼルは強固に粘着された後も照射によって分解できるので、液晶ディスプレイの再加工やメンテナンスの際の分解を容易にする。
【００３３】
以上、本件発明の好適な実施例を例示したが、これは本件発明を限定するものではなく、本件発明の精神及び範囲を逸脱しない限りにおいては、当業者であれば行い得る多少の変更や修飾を付加することは可能である。従って、本件発明の保護を請求する範囲は特許請求の範囲を基準とする。
【図面の簡単な説明】
【００３４】
【図１】液晶パネルの実施例の概略図である。
【図２】図１の液晶ディスプレイの分解図である。
【図３】図１の液晶ディスプレイの底面図である。
【図４】図１の液晶ディスプレイの断面図である。
【図５】図１の液晶ディスプレイの概略図であり、紫外光に晒されている液晶ディスプレイを示している。
【図６】従来の液晶ディスプレイの概略図である。
【図７】液晶パネルの保護構造にクッションパッドを用いた従来の液晶ディスプレイの底面図である。
【図８】液晶パネルの保護構造に粘着層を用いた従来の液晶ディスプレイの底面図である。
【符号の説明】
【００３５】
１００  液晶パネル
１０５  液晶パネル重複域
１１０  バックライトモジュール
１１５  紫外光レジスト層
１２０  ベゼル
１２５  開口
１３０  間隙
１５０  クッションパッド
１６０  重複域
２００  第１紫外光誘導粘着層
２１０  第２紫外光誘導粘着層
３００  間隙
【図１】
2005196125.tif 000003
【図２】
2005196125.tif 000004
【図３】
2005196125.tif 000005
【図４】
2005196125.tif 000006
【図５】
2005196125.tif 000007
【図６】
2005196125.tif 000008
【図７】
2005196125.tif 000009
【図８】
2005196125.tif 000010